(57)【要約】  【課題】撮影により生成された映像データを、従来より簡単手軽にメールに添付して送信する撮影機能付き通信端末を提供する。  【解決手段】撮影機能付き通信端末が撮影モードに設定される前に、ユーザから映像データの送信先メールアドレスの指定を受け付ける。そして、本通信端末が撮影モードに設定されている間にユーザからシャッターボタンが押されると、映像データを生成し、メールに当該映像データを自動添付して、撮影前にユーザから指定されたメールアドレス宛に当該メールを送信する。【選択図】図４
2014158286.tif 000002
【特許請求の範囲】
【請求項１】
撮影前にユーザから送信先の指定を受け付ける受付手段と、
ユーザから撮影指示を受け付ける撮影指示受付手段と、
受け付けた撮影指示に基づき撮影して映像データを生成する生成手段と、
前記生成手段により映像データが生成された場合に、当該映像データを、前記受付手段により受け付けた指定に係る送信先に送信する送信手段と、
前記送信先に前記映像データを送信した後に、前記映像データの送信が終了した旨を表示し、更に前記映像データに基づく映像を自動的に表示する制御手段と、
を備えることを特徴とする撮影機能付き通信端末。
【請求項２】
前記送信先はメールアドレスのことであり、
生成手段により画像データが生成されたときに、当該画像データを、前記メールアドレス指定受付手段により受け付けた指定に係るメールアドレスを宛先とするメールに添付する添付手段を更に備え、
前記送信手段は、前記画像データが添付されたメールを送信すること、
を特徴とする請求項１に記載の撮影機能付き通信端末。
【請求項３】
前記映像データは動画データであり、
ユーザから撮影開始指示を受け付ける撮影開始指示受付手段と、
ユーザから撮影終了指示を受け付ける撮影終了指示受付手段とを備え、
前記生成手段は、撮影開始指示を受け付けた時から撮影終了指示を受け付けた時までの間撮影して、動画データを生成し、
前記添付手段は、前記生成手段により動画データが生成されると共に、当該動画データを、前記メールに自動添付する
ことを特徴とする請求項２に記載の撮影機能付き通信端末。
【請求項４】
前記生成手段により映像データが生成されると共に、当該映像データを視聴可能な映像として表示する表示手段と、
表示された映像データを保存するか否かの指示をユーザから受け付ける保存指示受付手段とを更に備え、
前記保存指示受付手段によりユーザから肯定的な指示を受け付けた場合に限り、当該映像データを保存し、且つ前記添付手段は、当該映像データを前記メールに自動添付する
ことを特徴とする請求項２に記載の撮影機能付き通信端末。
【請求項５】
前記生成手段により映像データが生成されると共に、当該映像データと、前記メールアドレス指定受付手段によりユーザから受け付けた指定に係るメールアドレスとを、視聴可能な映像として表示する表示手段と、
表示された映像データを、表示されたメールアドレス宛のメールに添付して送信するか否かの指示をユーザから受け付ける送信指示受付手段とを更に備え、
前記送信指示受付手段によりユーザから肯定的な指示を受け付けた場合に限り、前記添付手段は、当該映像データを前記メールに自動添付する
ことを特徴とする請求項２に記載の撮影機能付き通信端末。
【請求項６】
前記添付手段により映像データがメールに自動添付されると共に、当該メールを送信する送信手段を更に備えることを特徴とする請求項２〜５のいずれか１項に記載の撮影機能付き通信端末。
【請求項７】
ユーザから撮影指示を受け付ける第１操作ボタン及び第２操作ボタンとを有し、
第１操作ボタンが押下されると、撮影して映像データを生成し、
第２操作ボタンが押下されると、撮影して映像データを生成し、且つ当該撮影前にユーザから指定されたメールアドレス宛のメールに当該映像データを自動添付することを特徴とする請求項２に記載の撮影機能付き通信端末。
【請求項８】
ユーザから撮影指示を受け付ける操作ボタンを有し、
前記操作ボタンが所定時間未満押下された場合に、撮影して映像データを生成し、
前記操作ボタンが所定時間以上押下された場合に、撮影して映像データを生成し、且つ当該撮影指示を受け付ける前にユーザから指定されたメールアドレスを宛先とするメールに当該映像データを自動添付することを特徴とする請求項２に記載の撮影機能付き通信端末。
【請求項９】
ユーザから撮影指示を受け付ける複数の操作ボタンと、
各操作ボタンとメールアドレスとを対応付けて記憶する記憶手段とを更に備え、
複数の操作ボタンのうちのいずれかが押下されると、撮影して映像データを生成し、且つ、当該映像データを、押下された操作ボタンと対応付けて記憶されているメールアドレス宛のメールに自動添付する
ことを特徴とする請求項２に記載の撮影機能付き通信端末。
【請求項１０】
現在日時を計時する計時手段と、
前記映像データが自動添付されるメールの文章記載部分に、撮影日時を記載する日時記載手段とを更に備える
ことを特徴とする請求項２に記載の撮影機能付き通信端末。
【請求項１１】
現在地情報を取得する現在地情報取得手段と、
前記映像データが自動添付されるメールの文章記載部分に、現在地情報を記載する現在地記載手段とを更に備える
ことを特徴とする請求項２に記載の撮影機能付き通信端末。
【請求項１２】
撮影前にユーザから送信先の指定を受け付ける受付手段と、
ユーザから撮影指示を受け付ける撮影指示受付手段と、
受け付けた撮影指示に基き撮影して画像データを生成する生成手段と、
前記生成手段により画像データが生成された場合に、当該画像データを、前記受付手段により受け付けた指定に係る送信先に送信する送信手段と、
前記送信先に前記画像データを送信した後に、前記画像データの送信が終了した旨を表示し、更に前記画像データに基づく映像を自動的に表示する制御手段と、
を備えることを特徴とする撮影機能付き通信端末。
【発明の詳細な説明】
【技術分野】
【０００１】
本発明は、撮影機能付き通信端末に関し、特に撮影によって生成される映像データをメールに添付して送信する処理に関する。
【背景技術】
【０００２】
近年、携帯電話機やＰＤＡ（Ｐｅｒｓｏｎａｌ  Ｄｉｇｉｔａｌ  Ａｓｓｉｓｔａｎｃｅ）等の通信端末の多機能化が急速に進展し、中でも撮影機能付き通信端末がユーザの間で脚光を浴びている。
【０００３】
撮影機能付き通信端末には、撮影レンズ及びＣＣＤ（Ｃｈａｒｇｅ  Ｃｏｕｐｌｅｄ  Ｄｅｖｉｃｅ）又はＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサから成るカメラ部が備えられ、或いは当該カメラ部をオプションとして接続することができ、通信端末でありながらデジタルカメラとしての役割も果たす。
【０００４】
撮影機能付き通信端末を用いて静止画を撮影する場合、ユーザはまず、当該端末の機能状態（モード）を撮影モードに設定する。撮影モードに設定された撮影機能付き通信端末は、カメラ部から逐次伝送される映像データを本端末に備わる表示部に再生表示する。
ユーザは、表示部に再生表示された映像を確認しながらシャッターとしての役割が割り当てられたボタン（以下、単に撮影ボタンという。）を押す。撮影機能付き通信端末は、撮影ボタンが押された時にカメラ部が捕らえた映像を静止画の映像データとして生成し、内蔵メモリに所定の映像データ圧縮技術を用いて記録する。
機種によっては、動画を撮影することができるものもある。
【０００５】
圧縮記録された映像データは、撮影機能付き通信端末の表示部に再生表示させることができる他、撮影機能付き通信端末に備わるメール機能を利用して当該映像データをメールに添付する形で、他者の通信端末やユーザのパソコンに届くメールアドレス宛に送信することができる。ここでメールとは、通信ネットワークを通じてやりとりを行う電子的な手紙のことである。
メールにはテキスト文章を記載することができる他、音声や映像データ等のバイナリーファイルを添付することができる。
【０００６】
メールの作成は、ユーザが撮影機能付き通信端末をメール作成モードに設定し、当該設定により表示部に表示されるＧＵＩ（Ｇｒａｐｈｉｃａｌ  Ｕｓｅｒ  Ｉｎｔｅｒｆａｃｅ）のメール作成画面にユーザが、送信先であるメールアドレスや、件名、文章等を記載する作業が含まれる。
この時、ユーザは映像データをメールに添付する設定を行うことができる。
【０００７】
撮影機能付き通信端末がユーザの間で脚光を浴びている一因としては、撮影した静止画等の映像データを、他の通信機器に接続しなくても本端末のメール機能を利用して他者の通信端末等に送ることができる点が挙げられる。
【発明の概要】
【発明が解決しようとする課題】
【０００８】
しかしながら、撮影した静止画等の映像データを即座に他者の通信端末等へ送りたいと考えるユーザにとっては、映像の撮影後に本端末をメール作成モードに設定して、送信先の記入や、添付する映像データの選択といった一連のメール作成作業を行うことが煩雑に
感じられる。
【０００９】
本発明は、撮影した静止画等の映像データをメールに添付して送る場合に、ユーザが感じる煩雑さを軽減するためになされたものであって、撮影により生成された映像データを、従来より簡単手軽にメールに添付して送信する撮影機能付き通信端末、及び同端末用の制御プログラムを提供することを目的とする。
【課題を解決するための手段】
【００１０】
上記目的を達成するために本発明に係る撮影機能付き通信端末は、撮影前にユーザから送信先の指定を受け付ける受付手段と、ユーザから撮影指示を受け付ける撮影指示受付手段と、受け付けた撮影指示に基づき撮影して映像データを生成する生成手段と、前記生成手段により映像データが生成された場合に、当該映像データを、前記受付手段により受け付けた指定に係る送信先に送信する送信手段と、前記送信先に前記映像データを送信した後に、前記映像データの送信が終了した旨を表示し、更に前記映像データに基づく映像を自動的に表示する制御手段とを備えることを特徴とする。
【発明の効果】
【００１１】
以上の説明から明らかなように本発明に係る撮影機能付き通信端末において、送信した映像データをユーザは確認することができる。
【図面の簡単な説明】
【００１２】
【図１】撮影機能付き通信端末の一例の外観図である。
【図２】撮影機能付き通信端末の一例の外観図である。
【図３】撮影機能付き通信端末の一例の機能ブロック図である。
【図４】撮影機能付き通信端末のＲＡＭに記録されているアドレス表の具体的な一例である。
【図５】撮影機能付き通信端末の撮影動作を説明するためのフローチャート図である。
【図６】映像データ添付メールを送信した後に表示部に表示される画面の一例である。
【図７】撮影機能付き通信端末のＲＡＭに記録されているアドレス表の具体的な一例である。
【図８】撮影機能付き通信端末の撮影動作を説明するためのフローチャート図である。
【図９】撮影機能付き通信端末において、送信先メールアドレスの入力受付に係る流れを説明するためのフローチャート図である。
【図１０】撮影機能付き通信端末の撮影動作を説明するためのフローチャート図である。
【発明を実施するための形態】
【００１３】
以下、本発明に係る撮影機能付き通信端末の実施形態１及び実施形態２について図面を用いて説明する。
＜実施形態１＞
＜構成＞
第１図及び第２図は、本発明に係る撮影機能付き通信端末の一例の外観図である。
第１図は、撮影機能付き通信端末１の正面図を示し、第２図は、撮影機能付き通信端末１の背面図を示す。
【００１４】
第３図は、本発明に係る撮影機能付き通信端末１の機能ブロック図である。
【００１５】
撮影機能付き通信端末１は、外観から確認できる操作部２、表示部３、カメラ部４の他、内部にカメラＩ／Ｆ部５、制御部６、送受信部７、変復調部８から構成される。
なお、本発明を説明する上で特に説明することを要しない機能については省略している。
【００１６】
操作部２は、制御部６と接続されており、０から９までのテンキーボタン、メニューボタン、ＯＫボタン、アドレスボタン、ファンクションボタン、メールボタン、サイドボタン等の各種操作ボタンを含み、各種操作ボタンがユーザから押下されることにより、ユーザの各種指示を受け付ける機能を有する。
【００１７】
ユーザから受け付ける指示は、例えば、数字、文字等の入力指示、アドレス表表示指示、メール作成画面表示指示、メニュー画面表示指示等が挙げられる。
受け付けた各種指示は、制御部６に伝送される。
【００１８】
各種操作ボタンには、ユーザから受け付ける指示内容が割り当てられるが、撮影機能付き通信端末１の機能状態（モード）によって、割り当てられる指示内容は変更する。
例えば、テンキーボタンは、通常の待ち受けモード時には、「１、２、３、、、」等の数字入力指示を受け付けるボタンとして機能するが、メール作成モードにおいては、数字以外に「Ａ、Ｂ、Ｃ、、、」や「あ、い、う、、、」等の、文字入力指示を受け付けるボタンとして機能する。また、撮影モード時には、第１図に示されるＯＫボタン又はサイドボタンが撮影指示を受け付けるボタンとして機能する。
【００１９】
表示部３は、制御部６と接続されており、カラー液晶表示装置、ＤＭＤ（デジタル・ミラー・デバイス）、又は有機ＥＬ（Ｅｌｅｃｔｒｏ  Ｌｕｍｉｎｅｓｃｅｎｃｅ（電界発光））表示装置等から成る。
待ち受けモード時にアニメーションの待ち受け画面表示や、撮影モード時にカメラ部４において生成された映像データを再生表示する機能を有する。
【００２０】
制御部６は、マイクロプロセッサ、ＤＳＰ（Ｄｉｇｉｔａｌ  Ｓｉｇｎａｌ  Ｐｒｏｃｅｓｓｏｒ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等から構成されており、ＲＯＭに格納されている制御プログラムに従って、各種の制御を行う機能を有する。
例えば、制御部６は、ユーザから操作部２を介して撮影モードに設定する指示を受け付けると、カメラＩ／Ｆ部５から伝送される映像データを受けて、表示部３に映像データを再生表示させる。
【００２１】
ＲＡＭには、ユーザが設定登録した友人の名前、電話番号及びメールアドレス等を表として記録している他、撮影により生成され、圧縮された映像データが記録されている。
【００２２】
ＲＡＭに記録された映像データには、静止画や動画があり、静止画の圧縮記録形式としては、ＪＰＥＧ（Ｊｏｉｎｔ  Ｐｈｏｔｏｇｒａｐｈｉｃ  Ｅｘｐｅｒｔ  Ｇｒｏｕｐ）形式やＰＮＧ（Ｐｏｒｔａｂｌｅ  Ｎｅｔｗｏｒｋ  Ｇｒａｐｈｉｃｓ）形式等が挙げられ、動画の圧縮記録形式としてはＭＰＥＧ（Ｍｏｖｉｎｇ  Ｐｉｃｔｕｒｅ  Ｅｘｐｅｒｔｓ  Ｇｒｏｕｐ）形式や、Ｎａｎｃｙファイル形式等が挙げられる。
【００２３】
カメラ部４は、カメラＩ／Ｆ部５と接続されており、撮影レンズとＣＣＤ（又はＣＭＯＳイメージセンサ）等から成る。
撮影機能付き通信端末１が撮影モードに設定されると、撮影レンズを介して半導体受光素子の受光面に結像された映像を各受光素子における入射光量に応じた大きさの電気信号に変換し、更に当該電気信号をＡ／Ｄ変換したデジタル信号をカメラＩ／Ｆ部５に伝送する。
【００２４】
カメラＩ／Ｆ部５は、ビデオ出力回路、ワークメモリ等から成り、撮影機能付き通信端末１が撮影モードに設定されると、カメラ部４から伝送されるデジタル信号を受けてビデオ出力回路により色調補正、解析度変換等の画像処理を行い、ビデオ出力可能な映像データとして制御部６に伝送する。また、制御部６から撮影指示を受けると、当該指示を受けた時に生成された映像データをワークメモリに一時記録すると共に、当該映像データを、例えば静止画であればＪＰＥＧ等の所定の圧縮方式で圧縮し、圧縮された映像データを制御部６に伝送する機能を有する。
【００２５】
送受信部７は、通信データの送受信を行う機能を有する。
ここで、通信データとは、通話の音声データ、メールのパケットデータ、及び通信制御のために用いられる制御データ等のことをいう。
【００２６】
変復調部８は、送信用通信データを変調し、受信用通信データを復調する機能を有する。
【００２７】
＜データ１＞
第４図は、制御部６のＲＡＭに記録されているアドレス表の具体例を示す図である。
アドレス表２０は、名前、電話番号、メールアドレスの他、映像データ自動添付フラグの項目を有する。映像データ自動添付フラグは、撮影機能付き通信端末１が撮影モードに設定される前に撮影設定用のＧＵＩ画面にて、ユーザから指定されたメールアドレスに付加される。影設定用のＧＵＩ画面は、メニュー画面からユーザが選択することで表示することができる。
【００２８】
アドレス表２０において、「サトウ  サブロウ」のメールアドレス「○×△＠○○○．ｃｏ．ｊｐ」に映像データ自動添付フラグが付加されているが、それ以外の複数のメールアドレスに付加することも可能である。
【００２９】
＜動作１＞
第５図は、撮影機能付き通信端末１における、映像の撮影から、当該撮影により生成された映像データをメールに添付して送信するまでの処理を説明するために用いるフローチャートである。
【００３０】
まず、撮影機能付き通信端末１が撮影モードに設定されると（ステップＳ１：ＹＥＳ）、制御部６はＲＡＭに記憶されているアドレス表に基づいて、映像データ自動添付フラグが付加されたメールアドレスを送信先としたメールを作成する。
【００３１】
続いて、ユーザから撮影ボタンが押されると（ステップＳ２：ＹＥＳ）、制御部６は撮影指示の信号をカメラＩ／Ｆ部５に伝送し、カメラＩ／Ｆ部５は当該指示を受けてワークメモリに一時記憶した映像データを圧縮し、圧縮された映像データを制御部６に伝送する。
制御部６は、カメラＩ／Ｆ部５から伝送された映像データをメールに添付し、当該メールを送信する（ステップＳ３）。以後、ステップＳ１に戻る。
【００３２】
なお、メール送信後に制御部６は、送信したメールに添付した映像データと、送信先のメールアドレスを表示部３に表示させてもよい。
【００３３】
第６図は、その具体例である。同図に示すように、送信したメールの送信先及び当該メールに添付した映像データをユーザは確認することができる。
＜実施形態２＞
続いて、本発明に係る撮影機能付き通信端末の実施形態２について図面を用いて説明する。なお、実施形態２の撮影機能付き通信端末の構成は、実施形態１において説明した撮影機能付き通信端末１と同じであるため説明は省略し、実施形態１と異なる点である、アドレス表と、撮影動作について説明する。
【００３４】
＜データ２＞
第７図は、実施形態２の制御部６のＲＡＭに記録されているアドレス表の具体例を示す図である。アドレス表３０は、名前、電話番号、メールアドレスの他、割当撮影ボタンの項目を有する。割当撮影ボタンは、撮影設定用のＧＵＩ画面にて、ユーザが操作部２の各種操作ボタンにアドレス表に記載されているメールアドレスを割り当てることで設定される。
【００３５】
第７図のアドレス表３０では、操作ボタンである「１」ボタン、「２」ボタン、「３」ボタン及び「サイドボタン」が割当撮影ボタンとして設定されており、例えば、「１」ボタンはメールアドレス「○○○＠×××．ｃｏｍ」と対応付けられた割当撮影ボタンである。
【００３６】
＜動作２＞
第８図は、実施形態２の撮影機能付き通信端末１における、映像の撮影から、当該撮影により生成された映像データをメールに添付して送信するまでの処理を示すフローチャートである。
【００３７】
まず、撮影機能付き通信端末１が撮影モードに設定されると（ステップＳ１０：ＹＥＳ）、制御部６は送信先が空白状態のメールを作成する。
【００３８】
続いて、ユーザから割当撮影ボタンのうちいずれか１つが押されると（ステップＳ１１：ＹＥＳ）、制御部６は撮影指示の信号をカメラＩ／Ｆ部５に伝送し、カメラＩ／Ｆ部５は当該指示を受けてワークメモリに一時記憶した映像データを圧縮し、圧縮された映像データを制御部６に伝送する。制御部６は、ＲＡＭに記憶されているアドレス表に基づいて、ユーザから押された割当撮影ボタンと対応付けられたメールアドレスを送信先とし、カメラＩ／Ｆ部５から伝送された、圧縮された映像データをメールに添付し、当該メールを送信する（ステップＳ１２）。
【００３９】
＜その他の変形例＞
以上、本発明に係る撮影機能付き通信端末について実施形態１及び実施形態２を示して説明したが、本発明はこれらの実施形態に限られないことは勿論である。
即ち、
（１）実施形態１において、本発明に係る撮影機能付き通信端末の撮影ボタンは、ＯＫキー又はサイドボタンとしていたが、これに限られず、いずれかの操作ボタンが撮影ボタンとして設定されていてもよい。
（２）本発明に係る撮影機能付き通信端末は、静止画撮影モードと動画撮影モードの２つの機能を有していて、それぞれのモードにおいて撮影された映像データの送信先のメールアドレスを、それぞれのモード毎に設定できるものであってもよい。
【００４０】
第９図は、本発明に係る撮影機能付き通信端末が、ユーザから送信先メールアドレスの入力を受け付ける際の動作の流れを説明するためのフローチャート図である。
【００４１】
まず撮影機能付き通信端末は、ユーザから受け付けた指示に応じて自動添付機能設定画面を表示部に表示する。
ユーザから自動添付機能をＯＮにする設定を受け付けると（ステップＳ２１：ＹＥＳ）、
続いて静止画の送信先メールアドレスの設定を行うのか、又は動画の送信先メールアドレスの設定を行うのかの２者選択受付画面を表示する。
【００４２】
静止画の送信先メールアドレスの設定を行う旨の選択をユーザから受け付けると（ステップＳ２２：ＹＥＳ）、ステップＳ２３に進み、動画の送信先メールアドレスの設定を行う旨の選択をユーザから受け付けると（ステップＳ２２：ＮＯ）、ステップＳ２５に進む。
【００４３】
ステップＳ２２において、撮影機能付き通信端末は、静止画設定メニュー画面を表示して（ステップＳ２３）、ユーザから送信先のメールアドレスの入力を受け付ける（ステップＳ２４）。
その後、処理を終了する。
【００４４】
ステップＳ２２において、撮影機能付き通信端末は、動画設定メニュー画面を表示して（ステップＳ２５）、ユーザから送信先のメールアドレスの入力を受け付ける（ステップＳ２６）。その後、処理を終了する。
（３）また、動画を撮影して自動添付する場合、撮影指示してから所定時間、例えば、５秒間撮影して生成された映像データをメールに自動添付する場合と、撮影指示してから、撮影停止指示するまでの間撮影して生成された映像データをメールに自動添付する場合が考えられる。ここで、後者の動作について、フローチャート図を用いて説明する。
【００４５】
第１０図は、動画撮影において撮影した映像データをメールに自動添付して送信する動作を説明するためのフローチャート図である。
【００４６】
まず、撮影機能付き通信端末は、ユーザから撮影モードの指定を受け付ける。
動画撮影モードが指定されると（ステップＳ３１：ＹＥＳ）、ステップＳ３２に進み、静止画撮影モードが指定されると（ステップＳ３１：ＮＯ）、ステップＳ４０に進む。ステップＳ４０の静止画撮影モードにおける処理は、実施形態１の動作で説明したのと同様なので説明を省略する。
【００４７】
ステップＳ３２において、撮影機能付き通信端末はカメラ部を起動させ、複数ある操作ボタンのうちのいずれかに撮影ボタンとしての機能を割り当てる。
撮影ボタンは、撮影開始前は、撮影開始指示ボタンとして、撮影中は撮影停止指示ボタンとして機能する。
【００４８】
撮影ボタンがユーザから押下されると（ステップＳ３３：ＹＥＳ）、録画処理を開始する（ステップＳ３４）。
【００４９】
続いて、録画できる最大時間が経過すれば（ステップＳ３５：ＹＥＳ）、ステップＳ３６をスキップして、ステップＳ３７に進む。
録画できる時間内であれば（ステップＳ３５：ＮＯ）、ステップＳ３６に進む。
【００５０】
ステップＳ３６において、撮影停止指示ボタンが押下されると（ステップＳ３６：ＹＥＳ）、録画処理を終了して動画ファイルの作成を行う（ステップＳ３７）。
撮影停止指示ボタンが押下されるまで、すなわち、押下されない間は（ステップＳ３６：ＮＯ）、ステップＳ３４に戻る。
【００５１】
ステップＳ３７において動画ファイルが作成されると、既に設定されているメールアドレス宛のメールに当該動画ファイルを自動添付して送信する（ステップＳ３８）。
【００５２】
また、撮影ボタンが押下されずに（ステップＳ３３：ＮＯ）、終了指示をユーザから受け付けると（ステップＳ３９：ＹＥＳ）、処理を終了する。
（４）各実施形態において本発明に係る撮影機能付き通信端末は、撮影ボタンがユーザから押下されることにより映像を撮影して、当該撮影により生成された映像データをメールに添付してメール送信する動作を行ったが、ユーザの音声に反応して同様の動作をする撮影機能付き通信端末であってもよい。
また、セルフタイマー機能により同様の動作をする撮影機能付き通信端末であってもよい。
（５）本発明に係る撮影機能付き通信端末は、従来の撮影モードとは別に、各実施形態で説明したような撮影モード（仮に、ワンタッチ送付モードと呼称する。
）を設けていてもよいし、従来の撮影モード用の撮影ボタンとは別に、ワンタッチ送付モード用の撮影ボタンを設けていてもよい。
更に、従来の撮影モード用の撮影ボタンを併用して、当該撮影ボタンが長押しされると各実施形態において説明したように撮影して生成された映像データをメールに自動添付する処理が行われるものであってもよい。
（６）各実施形態において、本発明に係る撮影機能付き通信端末が撮影モードに設定された後、ユーザによって撮影ボタンが押下されると、その一動作のみで、映像を撮影して、当該撮影により生成された映像データをメールに添付して、予め指定されているメールアドレス宛に当該メールを送信したが、これに限られず、本発明に係る撮影機能付き通信端末は、ユーザによって撮影ボタンが押下されると、生成された映像データを一旦表示部に再生表示し、当該映像データを保存するか否かの選択をユーザが行うことができるものであってもよい。
【００５３】
そして、表示部に再生された映像データをユーザが確認して、映像データを保存する指示を行うと、当該映像データは撮影機能付き通信端末の内蔵メモリ等に記録保存されて、かつ当該映像データが添付されたメールを送信する制御処理を行う。
（７）また、本発明に係る撮影機能付き通信端末は、ユーザによって撮影ボタンが押下されると、生成された映像データと、送信先メールアドレスとを一旦表示部に表示して、当該映像データを、表示されたメールアドレス宛に送信するか否かの選択をユーザが行うことができるものであってもよい。
【００５４】
この場合ユーザが、表示部に再生された映像データ及び送信先メールアドレスを確認して送信する指示を行うと、撮影機能付き通信端末は、当該映像データが添付されたメールを指定された送信先に送信する制御処理を行う。
（８）本発明に係る撮影機能付き通信端末は、現在日時情報を計時する機能を備えていて、第５図のステップＳ３及び第８図のステップＳ１２において、撮影した日時をメールの件名記載箇所、又は文章記載箇所に記載するようにしてもよい。
（９）本発明に係る撮影機能付き通信端末は、現在地情報を取得する機能、例えば、ＧＰＳ（Ｇｌｏｂａｌ  Ｐｏｓｉｔｉｏｎｉｎｇ  Ｓｙｓｔｅｍ）機能を有することで、現在地情報を取得し、第５図のステップＳ３及び第８図のステップＳ１２において、撮影した場所をメールの件名記載箇所、又は文章記載箇所に記載するようにしてもよい。
（１０）各実施形態において説明した処理手順（第５図、第８図、第９図、第１０図に示した手順等）を、プログラム実行機能を有する撮影機能付き通信機器に実行させるためのプログラムを、記録媒体に記録し又は各種通信路等を介して、流通させ頒布することができる。
【００５５】
かかる記録媒体には、ＩＣカード、光ディスク、フレキシブルディスク、ＲＯＭ等がある。流通、頒布されたプログラムは、プログラム実行機能を有する撮影機能付き通信端末にインストールされることにより利用に供され、その撮影機能付き通信端末は、そのプログラムを実行することにより、各実施形態に示した機能を実現する。
【産業上の利用可能性】
【００５６】
本発明に係る撮影機能付き通信端末は、ユーザが当該撮影機能付き通信端末に撮影指示を行うだけで、撮影により生成された映像データをメールに自動添付し、当該メールには予め設定されているメールアドレスが記載されているので、従来より簡単手軽に、映像データをメールに添付して他者の通信機器に送信することができるという効果を有し、撮影機能付き通信端末の分野において大変有用である。
【符号の説明】
【００５７】
１    撮影機能付き通信端末
２    操作部
３    表示部
４    カメラ部
５    カメラＩ／Ｆ部
６    制御部
７    送受信部
８    変復調部
【図１】
2014158286.tif 000003
【図２】
2014158286.tif 000004
【図３】
2014158286.tif 000005
【図４】
2014158286.tif 000006
【図５】
2014158286.tif 000007
【図６】
2014158286.tif 000008
【図７】
2014158286.tif 000009
【図８】
2014158286.tif 000010
【図９】
2014158286.tif 000011
【図１０】
2014158286.tif 000012